(57)【要約】【課題】  楽曲をビデオテープに記録し、その後でビデオテープに記録された楽曲を再生するときに、同時に楽曲情報を表示することのできる楽曲記録再生装置を提供する。【解決手段】  楽曲音声変換部１１は、楽曲情報を表わす文字データをアナログ音声信号に変換する。アナログ音声記録部１７は、変換されたアナログ音声信号を増幅する。固定音声ヘッド４は、増幅されたアナログ音声信号をビデオテープのリニアオーディオトラックに書込む。アナログ音声記録部１７は、ＦＭ音声記録部１５が楽曲の先頭のＦＭ音声信号を回転音声ヘッド３に送るのと同期して、楽曲情報が変換され増幅されたアナログ音声信号を楽曲の頭出し用の信号として固定音声ヘッド４に送り、固定音声ヘッド４は、楽曲の先頭のＦＭ音声信号が書込まれる傾斜トラックの領域と時間的に対応するリニアオーディオトラックの領域に頭出し用の信号を記録する。【選択図】        図１
2006114167.tif 000002
【特許請求の範囲】
【請求項１】
曲名、歌手、作曲者、作詞者、および再生時間のうち、少なくとも１つを含む楽曲情報をビデオテープに記録し、再生する楽曲記録再生装置において、
コンパクトディスクに記録された楽曲を読出して再生するコンパクトディスク再生部と、
前記コンパクトディスクに記録された楽曲情報を読出す楽曲情報読出部と、
前記読出された楽曲をＦＭ変調および増幅したＦＭ音声信号を出力するＦＭ音声記録部と、
前記ＦＭ音声信号をビデオテープの傾斜トラックに書込む回転音声ヘッドと、
前記読出された楽曲情報を表わす文字データをアナログ音声信号に変換する楽曲音声変換部と、
前記変換されたアナログ音声信号を増幅するアナログ音声記録部と、
前記増幅されたアナログ音声信号を前記ビデオテープのリニアオーディオトラックに書込む固定音声ヘッドとを備え、
前記アナログ音声記録部は、前記ＦＭ音声記録部が楽曲の先頭のＦＭ音声信号を前記回転音声ヘッドに送るのと同期して、前記楽曲情報が変換され増幅されたアナログ音声信号を楽曲の頭出し用の信号として前記固定音声ヘッドに送り、
前記固定音声ヘッドは、楽曲の先頭のＦＭ音声信号が書込まれる前記傾斜トラックの領域と時間的に対応する前記リニアオーディオトラックの領域に前記頭出し用の信号を記録し、
前記楽曲音声変換部は、楽曲情報である文字データの各ビットが０のときには、所定の時間、周波数が第１の値であるアナログ音声信号を生成し、各ビットが１のときには、所定の時間、周波数が第２の値であるアナログ音声信号を生成し、
前記固定音声ヘッドは、さらに、前記リニアオーディオトラックに書込まれた楽曲情報が変換されたアナログ音声信号を読出し、
前記回転音声ヘッドは、さらに、前記傾斜トラックに書込まれたＦＭ音声信号を読出し、
前記楽曲記録再生装置は、さらに、
前記読出されたＦＭ音声信号を増幅および復調してスピーカに出力するＦＭ音声再生部と、
前記読出されたアナログ音声信号を増幅して出力するアナログ音声再生部と、
前記増幅されたアナログ音声信号を文字データである楽曲情報に変換して表示部に出力する音声楽曲変換部とを備え、
前記音声楽曲変換部は、所定の時間単位で前記増幅されたアナログ音声信号の周波数が第１の値か第２の値かを判定し、周波数が第１の値のときには楽曲情報を構成するビットの値を０とし、周波数が第２の値のときには、楽曲情報を構成するビットの値を１とし、
前記楽曲記録再生装置は、さらに、
ユーザから曲名、歌手、作曲者、作詞者、および再生時間のうち少なくとも１つを指定した楽曲の検索指示を受けると、前記ビデオテープ順次走行させ、前記固定音声ヘッド、前記アナログ音声再生部、および前記音声楽曲変換部を動作させ、前記音声楽曲変換部から楽曲情報を出力させ、前記ユーザから指定された内容と前記音声楽曲変換部から出力された楽曲情報の内容とが一致するか否かを調べ、一致したときには、前記ビデオテープの走行を中止して、前記出力された楽曲情報を表示部に出力する楽曲検索部を備えた楽曲記録再生装置。
【請求項２】
楽曲情報をビデオテープに記録し、再生する楽曲記録再生装置において、
楽曲をＦＭ変調および増幅したＦＭ音声信号を出力するＦＭ音声記録部と、
前記ＦＭ音声信号をビデオテープの傾斜トラックに書込む回転音声ヘッドと、
楽曲情報を表わす文字データをアナログ音声信号に変換する楽曲音声変換部と、
前記変換されたアナログ音声信号を増幅するアナログ音声記録部と、
前記増幅されたアナログ音声信号を前記ビデオテープのリニアオーディオトラックに書込む固定音声ヘッドとを備え、
前記アナログ音声記録部は、前記ＦＭ音声記録部が楽曲の先頭のＦＭ音声信号を前記回転音声ヘッドに送るのと同期して、前記楽曲情報が変換され増幅されたアナログ音声信号を楽曲の頭出し用の信号として前記固定音声ヘッドに送り、
前記固定音声ヘッドは、楽曲の先頭のＦＭ音声信号が書込まれる前記傾斜トラックの領域と時間的に対応する前記リニアオーディオトラックの領域に前記頭出し用の信号を記録する、楽曲記録再生装置。
【請求項３】
前記楽曲音声変換部は、楽曲情報である文字データの各ビットが０のときには、所定の時間、周波数が第１の値であるアナログ音声信号を生成し、各ビットが１のときには、所定の時間、周波数が第２の値であるアナログ音声信号を生成する、請求項２記載の楽曲記録再生装置。
【請求項４】
前記固定音声ヘッドは、さらに、前記リニアオーディオトラックに書込まれた楽曲情報が変換されたアナログ音声信号を読出し、
前記回転音声ヘッドは、さらに、前記傾斜トラックに書込まれたＦＭ音声信号を読出し、
前記楽曲記録再生装置は、さらに、
前記読出されたＦＭ音声信号を増幅および復調してスピーカに出力するＦＭ音声再生部と、
前記読出されたアナログ音声信号を増幅するアナログ音声再生部と、
前記増幅されたアナログ音声信号を文字データである楽曲情報に変換して表示部に出力する音声楽曲変換部とを備えた請求項２記載の楽曲記録再生装置。
【請求項５】
前記音声楽曲変換部は、所定の時間単位で前記増幅されたアナログ音声信号の周波数が第１の値か第２の値かを判定し、周波数が第１の値のときには楽曲情報を構成するビットの値を０とし、周波数が第２の値のときには、楽曲情報を構成するビットの値を１とする、請求項４記載の楽曲記録再生装置。
【請求項６】
前記楽曲情報は、曲名、歌手、作曲者、作詞者、および再生時間のうち、少なくとも１つを含む、請求項４記載の楽曲記録再生装置。
【請求項７】
前記楽曲記録再生装置は、さらに、
ユーザから曲名、歌手、作曲者、作詞者、および再生時間のうち少なくとも１つを指定した楽曲の検索指示を受けると、前記ビデオテープを順次走行させ、前記固定音声ヘッド、前記アナログ音声再生部、および前記音声楽曲変換部を指示して動作させ、前記音声楽曲変換部から楽曲情報を出力させ、前記ユーザから指定された内容と前記音声楽曲変換部から出力された楽曲情報の内容とが一致するか否かを調べ、一致したときには、前記ビデオテープの走行を中止して、前記出力された楽曲情報を表示部に出力する楽曲検索部を備えた、請求項６記載の楽曲記録再生装置。
【請求項８】
前記楽曲記録再生装置は、さらに、
コンパクトディスクに記録された楽曲を読出して再生するコンパクトディスク再生部と、
前記コンパクトディスクに記録された楽曲情報を読出す楽曲情報読出部とを備え、
前記楽曲音声変換部は、前記コンパクトディスクから読出された楽曲情報を表わす文字データをアナログ音声信号に変換し、
前記ＦＭ音声記録部は、前記コンパクトディスクから読出された楽曲をＦＭ変調および増幅したＦＭ音声信号を出力する、請求項４記載の楽曲記録再生装置。
【発明の詳細な説明】
【技術分野】
【０００１】
この発明は、楽曲記録再生装置に関し、特に楽曲の音声信号とともに楽曲名または演奏者名などの楽曲情報をビデオテープに記録し、再生する楽曲記録再生装置に関する。
【背景技術】
【０００２】
従来から、楽曲を聴きながら、その楽曲に関する曲名や演奏者などを提示する技術が提案されている。たとえば、特許文献１では、以下のような技術が開示されている。
【０００３】
すなわち、音楽ＣＤ（Compact Disk）あるいはＭＤ（Mini Disk）などの音楽蓄積媒体から音楽再生手段によって演奏中の曲について、演奏情報取得手段により曲名や演奏者名などのその曲に付けられた楽曲情報を音楽蓄積媒体から取得して、取得した楽曲情報をキーワードとして、インターネットや予めコンピュータ内に蓄積された情報を検索し、表示手段により演奏中の曲に関連する情報を画面に表示する。
【０００４】
これにより、音楽ＣＤやＭＤなどの音楽蓄積媒体の再生中に、曲名や演奏者名などの楽曲情報だけでなく、その曲に関連する多くの情報を簡単に表示することができる。
【特許文献１】特開２０００−２９８９７８号公報
【発明の開示】
【発明が解決しようとする課題】
【０００５】
ところで、ＤＶＤ（Digital Versatile Disk）プレーヤとＶＴＲ（Video Tape Recorder）が一体となったモデルが普及しているが、このようなモデルでは、ＤＶＤプレーヤでコンパクトディスクを再生して、コンパクトディスクの楽曲をビデオテープへ記録することも可能である。
【０００６】
しかしながら、このようなモデルでは、特許文献１とは異なり、曲名や演奏者名などの楽曲情報はビデオテープへは記録されないので、ビデオテープに記録された楽曲の再生時には、楽曲情報さえも表示することができない。
【０００７】
そこで、この発明は、楽曲をビデオテープに記録し、その後でビデオテープに記録された楽曲を再生するときに、同時に楽曲情報を表示することのできる楽曲記録再生装置を提供することである。
【課題を解決するための手段】
【０００８】
上記課題を解決するために、本発明は、曲名、歌手、作曲者、作詞者、および再生時間のうち、少なくとも１つを含む楽曲情報をビデオテープに記録し、再生する楽曲記録再生装置において、コンパクトディスクに記録された楽曲を読出して再生するコンパクトディスク再生部と、コンパクトディスクに記録された楽曲情報を読出す楽曲情報読出部と、読出された楽曲をＦＭ変調および増幅したＦＭ音声信号を出力するＦＭ音声記録部と、ＦＭ音声信号をビデオテープの傾斜トラックに書込む回転音声ヘッドと、読出された楽曲情報を表わす文字データをアナログ音声信号に変換する楽曲音声変換部と、変換されたアナログ音声信号を増幅するアナログ音声記録部と、増幅されたアナログ音声信号をビデオテープのリニアオーディオトラックに書込む固定音声ヘッドとを備え、アナログ音声記録部は、ＦＭ音声記録部が楽曲の先頭のＦＭ音声信号を回転音声ヘッドに送るのと同期して、楽曲情報が変換され増幅されたアナログ音声信号を楽曲の頭出し用の信号として固定音声ヘッドに送り、固定音声ヘッドは、楽曲の先頭のＦＭ音声信号が書込まれる傾斜トラックの領域と時間的に対応するリニアオーディオトラックの領域に頭出し用の信号を記録し、楽曲音声変換部は、楽曲情報である文字データの各ビットが０のときには、所定の時間、周波数が第１の値であるアナログ音声信号を生成し、各ビットが１のときには、所定の時間、周波数が第２の値であるアナログ音声信号を生成し、固定音声ヘッドは、さらに、リニアオーディオトラックに書込まれた楽曲情報が変換されたアナログ音声信号を読出し、回転音声ヘッドは、さらに、傾斜トラックに書込まれたＦＭ音声信号を読出し、楽曲記録再生装置は、さらに、読出されたＦＭ音声信号を増幅および復調してスピーカに出力するＦＭ音声再生部と、読出されたアナログ音声信号を増幅して出力するアナログ音声再生部と、増幅されたアナログ音声信号を文字データである楽曲情報に変換して表示部に出力する音声楽曲変換部とを備え、音声楽曲変換部は、所定の時間単位で増幅されたアナログ音声信号の周波数が第１の値か第２の値かを判定し、周波数が第１の値のときには楽曲情報を構成するビットの値を０とし、周波数が第２の値のときには、楽曲情報を構成するビットの値を１とし、楽曲記録再生装置は、さらに、ユーザから曲名、歌手、作曲者、作詞者、および再生時間のうち少なくとも１つを指定した楽曲の検索指示を受けると、ビデオテープ順次走行させ、固定音声ヘッド、アナログ音声再生部、および音声楽曲変換部を動作させ、音声楽曲変換部から楽曲情報を出力させ、ユーザから指定された内容と音声楽曲変換部から出力された楽曲情報の内容とが一致するか否かを調べ、一致したときには、ビデオテープの走行を中止して、出力された楽曲情報を表示部に出力する楽曲検索部を備える。
【０００９】
また、本発明は、楽曲情報をビデオテープに記録し、再生する楽曲記録再生装置において、楽曲をＦＭ変調および増幅したＦＭ音声信号を出力するＦＭ音声記録部と、ＦＭ音声信号をビデオテープの傾斜トラックに書込む回転音声ヘッドと、楽曲情報を表わす文字データをアナログ音声信号に変換する楽曲音声変換部と、変換されたアナログ音声信号を増幅するアナログ音声記録部と、増幅されたアナログ音声信号をビデオテープのリニアオーディオトラックに書込む固定音声ヘッドとを備え、アナログ音声記録部は、ＦＭ音声記録部が楽曲の先頭のＦＭ音声信号を回転音声ヘッドに送るのと同期して、楽曲情報が変換され増幅されたアナログ音声信号を楽曲の頭出し用の信号として固定音声ヘッドに送り、固定音声ヘッドは、楽曲の先頭のＦＭ音声信号が書込まれる傾斜トラックの領域と時間的に対応するリニアオーディオトラックの領域に頭出し用の信号を記録する。
【００１０】
好ましくは、楽曲音声変換部は、楽曲情報である文字データの各ビットが０のときには、所定の時間、周波数が第１の値であるアナログ音声信号を生成し、各ビットが１のときには、所定の時間、周波数が第２の値であるアナログ音声信号を生成する。
【００１１】
好ましくは、固定音声ヘッドは、さらに、リニアオーディオトラックに書込まれた楽曲情報が変換されたアナログ音声信号を読出し、回転音声ヘッドは、さらに、傾斜トラックに書込まれたＦＭ音声信号を読出し、楽曲記録再生装置は、さらに、読出されたＦＭ音声信号を増幅および復調してスピーカに出力するＦＭ音声再生部と、読出されたアナログ音声信号を増幅するアナログ音声再生部と、増幅されたアナログ音声信号を文字データである楽曲情報に変換して表示部に出力する音声楽曲変換部とを備える。
【００１２】
好ましくは、音声楽曲変換部は、所定の時間単位で増幅されたアナログ音声信号の周波数が第１の値か第２の値かを判定し、周波数が第１の値のときには楽曲情報を構成するビットの値を０とし、周波数が第２の値のときには、楽曲情報を構成するビットの値を１とする。
【００１３】
好ましくは、楽曲情報は、曲名、歌手、作曲者、作詞者、および再生時間のうち、少なくとも１つを含む。
【００１４】
好ましくは、楽曲記録再生装置は、さらに、ユーザから曲名、歌手、作曲者、作詞者、および再生時間のうち少なくとも１つを指定した楽曲の検索指示を受けると、ビデオテープを順次走行させ、固定音声ヘッド、アナログ音声再生部、および音声楽曲変換部を指示して動作させ、音声楽曲変換部から楽曲情報を出力させ、ユーザから指定された内容と音声楽曲変換部から出力された楽曲情報の内容とが一致するか否かを調べ、一致したときには、ビデオテープの走行を中止して、出力された楽曲情報を表示部に出力する楽曲検索部を備える。
【００１５】
好ましくは、楽曲記録再生装置は、さらに、コンパクトディスクに記録された楽曲を読出して再生するコンパクトディスク再生部と、コンパクトディスクに記録された楽曲情報を読出す楽曲情報読出部とを備え、楽曲音声変換部は、コンパクトディスクから読出された楽曲情報を表わす文字データをアナログ音声信号に変換し、ＦＭ音声記録部は、コンパクトディスクから読出された楽曲をＦＭ変調および増幅したＦＭ音声信号を出力する。
【発明の効果】
【００１６】
この発明によれば、楽曲をビデオテープに記録し、その後でビデオテープに記録された楽曲を再生するときに、同時に楽曲情報を表示することができる。
【発明を実施するための最良の形態】
【００１７】
この発明の実施の形態について、図面を参照しながら詳細に説明する。なお、図中の同一または相当部分については、同一符号を付してその説明は繰返さない。
【００１８】
図１は、本発明の実施形態に係る楽曲記録再生装置の構成を示す図である。
【００１９】
図１を参照して、この楽曲記録再生装置は、コンパクトディスク１と、ビデオテープ２と、コンパクトディスク再生部７と、ビデオ記憶再生部１０と、回転映像ヘッド５と、回転音声ヘッド３と、固定音声ヘッド４と、楽曲音声変換部１１と、音声楽曲変換部１２と、楽曲検索部１４と、スピーカ６と、モニタ１３とを備える。
【００２０】
ビデオ記録再生部１０は、ＦＭ音声記録部１５と、ＦＭ音声再生部１６と、アナログ音声記録部１７と、アナログ音声再生部１８と、ＦＭ映像記録部１９と、ＦＭ映像再生部２０とを含む。
【００２１】
コンパクトディスク１は、楽曲の音声信号とともに、文字データである楽曲情報を記録している。楽曲情報は、曲名、歌手、作曲者、作詞者、および再生時間のうち少なくとも１つを含む。
【００２２】
コンパクトディスク再生部７は、音声再生部８と楽曲情報読出部９とを含む。
【００２３】
音声再生部８は、コンパクトディスク１に記録されている楽曲の音声信号を読出して、復調、増幅、およびアナログ音声信号への変換を行なう。アナログ音声信号は、スピーカ６に送られるとともに、ビデオ記録再生部１０に送られる。
【００２４】
楽曲情報読出部９は、音声再生部８で再生中の音声信号が含まれる楽曲の楽曲情報をコンパクトディスク１から読出して、モニタ１３に送るとともに、楽曲音声変換部１１に出力する。
【００２５】
図２は、ビデオテープ２のトラックの構造を示す図である。
【００２６】
図２を参照して、ビデオテープ２の片側の側縁部の長手方向に、アナログ音声信号を記録するリニアオーディオトラック３１が形成される。ビデオテープ２の傾斜トラック３０には、ＦＭ映像信号およびＦＭ音声信号が記録される。
【００２７】
回転映像ヘッド５および回転音声ヘッド３は、回転ヘッドシリンダに設けられる。回転映像ヘッド５は、ビデオテープ２の傾斜トラック３０にＦＭ映像信号を記録し、また傾斜トラック３０からＦＭ映像信号を読出す。回転音声ヘッド３は、回転映像ヘッド５とは異なるアジマス角によりビデオテープ２の傾斜トラック３０にＦＭ音声信号を深層記録し、また傾斜トラック３０からＦＭ音声信号を読出す。
【００２８】
ＦＭ映像記録部１９は、図示しない手段より送られる背景画面を表わす映像信号をＦＭ映像信号に変調し、所定のレベルに増幅したＦＭ映像信号を回転映像ヘッド５に送る。
【００２９】
ＦＭ映像再生部２０は、回転映像ヘッド５で読み取られたＦＭ映像信号を増幅、フィルタ処理およびＦＭ復調を行なって、モニタ１３に出力する。
【００３０】
ＦＭ音声記録部１５は、コンパクトディスク再生部７の音声再生部８より送られた楽曲のアナログ音声信号をＦＭ音声信号に変調し、所定のレベルに増幅したＦＭ音声信号を回転音声ヘッド３に送る。
【００３１】
ＦＭ音声再生部１６は、回転音声ヘッド３で読み取られた楽曲のＦＭ音声信号を増幅、フィルタ処理およびＦＭ復調を行なって、スピーカ６に出力する。
【００３２】
スピーカ６は、コンパクトディスク再生部７の音声再生部８から出力される音声信号、またはビデオ記録再生部１０のＦＭ音声再生部１６から出力される音声信号を出力する。
【００３３】
楽曲音声変換部１１は、コンパクトディスク再生部７の楽曲情報読出部９から送られる楽曲情報である文字データをアナログ音声信号に変換する。具体的には、楽曲音声変換部１１は、楽曲情報である文字データの各ビットが０のときには、所定の時間Δｔで周波数が２ＫＨであるアナログ音声信号を生成し、各ビットが１のときには、所定の時間Δｔで周波数が６ＫＨｚであるアナログ音声信号を生成する。したがって、Ｎビットの楽曲情報は、Ｎ×Δｔの期間のアナログ音声信号に変換され、各所定の時間Δｔにおいて、アナログ音声信号の周波数は、２ＫＨｚまたは６ＫＨｚとなる。
【００３４】
アナログ音声記録部１７は、ＦＭ音声記録部１５が楽曲の先頭のＦＭ音声信号を回転音声ヘッド３に送るのと同期して、楽曲音声変換部１１より送られる楽曲情報を表わすアナログ音声信号を楽曲の頭出し用の信号として固定音声ヘッド４に送る。
【００３５】
固定音声ヘッド４は、図２に示すように、楽曲の先頭のＦＭ音声信号が書込まれる傾斜トラック３０の領域と時間的に対応するリニアオーディオトラック３１の領域３２に楽曲情報を表わすアナログ音声信号を楽曲の頭出し用の信号として記録する。また、固定音声ヘッド４は、リニアオーディオトラック３１の領域３２から楽曲情報を表わすアナログ音声信号を頭出し信号として読出す。
【００３６】
アナログ音声再生部１８は、固定音声ヘッド４で読み取られた楽曲情報を表わすアナログ音声信号を増幅およびフィルタ処理して、音声楽曲変換部１２に出力する。
【００３７】
音声楽曲変換部１２は、アナログ音声再生部１８から送られる楽曲情報を表わすアナログ音声信号を文字データである楽曲情報に変換してモニタ１３に出力する。具体的には、音声楽曲変換部１２は、所定の時間Δｔ単位でアナログ音声信号の周波数が２ＫＨｚか６ＫＨｚかを判定し、周波数が２ＫＨｚのときには楽曲情報を構成するビットの値を０とし、周波数が６ＫＨｚのときには、楽曲情報を構成するビットの値を１とする。アナログ音声信号がＮ×Δｔの期間からなるときには、Ｎビットの文字データである楽曲情報が生成される。
【００３８】
モニタ１３は、楽曲情報読出部９から出力された楽曲情報および音声楽曲変換部１２から出力された楽曲情報を表示する。
【００３９】
図３（ａ）は、楽曲情報の例を示す図であり、図３（ｂ）は、モニタでの楽曲情報の表示の例を表わす図である。
【００４０】
これらの図を参照して、楽曲情報は、曲名、歌手、作曲者、作詞者および再生時間から構成され、モニタに表示される。
【００４１】
楽曲検索部１４は、ユーザから曲名、歌手、作曲者、作詞者、および再生時間のうち少なくとも１つを指定した楽曲の検索指示を受けると、ビデオテープ２を順次走行させて、固定音声ヘッド４、アナログ音声再生部１８および音声楽曲変換部１２を動作させ、音声楽曲変換部１２から楽曲情報を出力させる。楽曲検索部１４は、ユーザが指定された内容と音声楽曲変換部１２から出力された楽曲情報の内容とが一致するか否かを調べ、一致したときには、ビデオテープ２の走行を中止して、出力された楽曲情報をモニタ１３に送り表示させる。
【００４２】
以上のように、本発明の実施形態に係る楽曲記録再生装置によれば、楽曲をビデオテープに記録し、その後でビデオテープに記録された楽曲を再生するときに、同時に楽曲情報を表示することができる。
【００４３】
なお本発明の実施形態では、ビデオテープに記録する楽曲および楽曲情報のソースは、コンパクトディスクに記録されているものとしたが、これに限定するものではなく、ＤＶＤまたはＭＤなどの媒体に記録されているものでも、外部から入力されるものであってもよい。また、楽曲情報については、楽曲の記録時にユーザが図示しないリモコンから文字を入力して楽曲情報を作成するものであってもよい。
【００４４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【００４５】
【図１】本発明の実施形態に係る楽曲記録再生装置の構成を示す図である。
【図２】ビデオテープ２のトラックの構造を示す図である。
【図３】（ａ）は、楽曲情報の例を示す図であり、（ｂ）は、モニタでの楽曲情報の表示の例を表わす図である。
【符号の説明】
【００４６】
１  コンパクトディスク、２  ビデオテープ、３  回転音声ヘッド、４  固定音声ヘッド、５  回転映像ヘッド、６  スピーカ、７  コンパクトディスク再生部、８  音声再生部、９  楽曲情報読出部、１０  ビデオ記録再生部、１１  楽曲音声変換部、１２  音声楽曲変換部、１３  モニタ、１４  楽曲検索部、１５  ＦＭ音声記録部、１６  ＦＭ音声再生部、１７  アナログ音声記録部、１８  アナログ音声再生部、１９  ＦＭ映像記録部、２０  ＦＭ映像再生部、３０  傾斜トラック、３１  リニアオーディオトラック。
【図１】
2006114167.tif 000003
【図２】
2006114167.tif 000004
【図３】
2006114167.tif 000005